(57)【特許請求の範囲】
【請求項１】
整流板と、フード部と、ケーシング部と、油捕集手段と、を備えたレンジフードであって、
前記整流板は、油煙が通過する風路の一部を構成し、
前記ケーシング部は、油煙を外部に導く排気手段を備え、
前記油捕集手段は、油煙に含まれる油を回収し、
前記フード部は、開口部を有する第１の内フードと、前記第１の内フードの外周に位置する外フードと、前記第１の内フードおよび前記排気手段と連通する第２の内フードと、を含み、
前記外フードは、外フード上面と、外フード下面と、を含み、
前記外フード上面は、前記外フードの天面であって、前記ケーシング部に接続される面であり、
前記外フード下面は、前記外フードの側面から内周方向に向かって延設された面であり、前記第１の内フードは、第１内フード下面を含み、
前記第１内フード下面は、前記第１の内フードの底面であり、
前記外フード下面と前記第１内フード下面とで連なった平面を形成し、
前記第２の内フードは、前記第１の内フードより上方に設けられ、
前記整流板は前記第１内フード下面に固定され、
前記油捕集手段は、前記第１内フード下面に設けられた開口部に取り付けられ、
前記油捕集手段の下面は、前記第１内フード下面および前記外フード下面と略平行かつ高さが略一致した箇所に設けられ、
前記油捕集手段が前記開口部に取り付けられた状態において、前記油捕集手段の下面、前記第１内フード下面および前記外フード下面で略一平面を形成し、
前記風路を通過する油煙は、前記整流板と前記第１の内フードとの隙間を前記第１内フード下面に沿って移動して前記油捕集手段へ導かれ、前記油捕集手段、前記第２の内フード、前記排気手段を順に通過して外部に導かれることを特徴とするレンジフード。
【請求項２】
前記整流板は、前記第１内フード下面から取り外し可能であって、
前記第１内フード下面と前記整流板とを一定の間隔を有して保持する整流板固定手段を、
備え、前記整流板固定手段は、第１の整流板固定手段と、第２の整流板固定手段とを含み、
前記第１の整流板固定手段は、前記第１内フード下面に設けられ、
前記第２の整流板固定手段は、前記整流板に設けられ、前記第１の整流板固定手段と着脱可能に接続されることを特徴とする請求項１に記載のレンジフード。
【請求項３】
前記第１内フード下面において、前記開口部の周縁部が平坦であることを特徴とする請求項１または２に記載のレンジフード。
【請求項４】
前記油捕集手段は、上側油捕集手段と下側油捕集手段とを上下に重ねた略箱形状であって、
前記上側油捕集手段および前記下側油捕集手段は、開口を有し、
前記排気手段により吸い込まれる油煙は、前記下側油捕集手段の開口から前記油捕集手段内部に流入し、前記上側油捕集手段の開口を通過して前記第２の内フード内部に導かれることを特徴とする請求項１〜３のいずれか１項に記載のレンジフード。
【発明の詳細な説明】
【技術分野】
【０００１】
本発明は、ガスコンロ、電気コンロ、ＩＨヒーターなどの加熱調理器具の上方に設置し、調理においての発生する油煙等を屋外に排出するレンジフードに関するものである。
【背景技術】
【０００２】
従来、この種のレンジフードは、効率よく廃気するために整流板を設けたものが知られている（例えば、特許文献１参照）。
【０００３】
以下、そのレンジフードについて図５を参照しながら説明する。
【０００４】
図５に示すように、製品本体１０１はケーシング部１０２とフード１０３とからなる。
【０００５】
そして、フード１０３は整流板１０４とフード外郭１０５より構成されており、整流板１０４とフード外郭１０５との間から油煙を吸い込む構成としている。
【０００６】
そして、ケーシング部１０２は電動機１０６と電動機１０５に連結された羽根１０７を備えている。
【０００７】
そして、羽根１０７の下流側には排気口１０８を有しており、一方フード１０３は整流板１０４とフード外郭１０５とにより構成されている。
【０００８】
そして、フード外郭１０５は側断面から見ると略コの字形状である。
【０００９】
そして、整流板１０４はフード外郭１０５の略コの字の中央の空間にフード外郭１０５の下端と近い位置に水平面を揃えるように配置されている。
【００１０】
そして、電動機１０６が駆動すると羽根１０７が回転し、油煙を吸い込むこととなるが、吸い込まれる油煙は整流板１０４とフード外郭１０５の隙間を通り、油捕集手段１０９を介した後に排気口１０８より図示していないダクトを介して屋外に排出されることとなる。
【００１１】
そして、排気する過程で吸い込み空気としての油煙に含まれる油成分・埃等はフード外郭１０５内面あるいは油捕集手段１０９に付着するため、フード外郭１０５内面あるいは油捕集手段１０９を定期的に清掃する必要がある。
【先行技術文献】
【特許文献】
【００１２】
【特許文献１】特開２０１２−２２９８５６号公報
【発明の概要】
【発明が解決しようとする課題】
【００１３】
このような従来のレンジフードにおいて、掃除をする箇所としては油を捕集する部品が含まれ、油煙を吸い込む吸込側に近い箇所が対象となるところ、油煙を捕集する部品がフードから取り外すことができず、凸凹を有していたり、複雑な形状であったりするため掃除が困難である、という課題を有していた。
【００１４】
そこで本発明は、上記従来の課題を解決するものであり、油煙を吸い込む吸込側に近い箇所の、油を捕集する部品を容易に掃除することができるレンジフードを提供することを目的とする。
【課題を解決するための手段】
【００１５】
そして、この目的を達成するために、本発明の一態様に係るレンジフードは、整流板と、フード部と、ケーシング部と、油捕集手段と、を備えたレンジフードであって、前記整流板は、油煙が通過する風路の一部を構成し、前記ケーシング部は、油煙を外部に導く排気手段を備え、前記油捕集手段は、油煙に含まれる油を回収し、前記フード部は、開口部を有する第１の内フードと、前記第１の内フードの外周に位置する外フードと、前記第１の内フードおよび前記排気手段と連通する第２の内フードと、を含み、前記外フードは、外フード上面と、外フード下面と、を含み、前記外フード上面は、前記外フードの天面であって、前記ケーシング部に接続される面であり、前記外フード下面は、前記外フードの側面から内周方向に向かって延設された面であり、前記第１の内フードは、第１内フード下面を含み、前記第１内フード下面は、前記第１の内フードの底面であり、前記外フード下面と前記第１内フード下面とで連なった平面を形成し、前記第２の内フードは、前記第１の内フードより上方に設けられ、前記整流板は前記第１内フード下面に固定され、前記油捕集手段は、前記第１内フード下面に設けられた開口部に取り付けられ、前記油捕集手段の下面は、前記第１内フード下面および前記外フード下面と略平行かつ高さが略一致した箇所に設けられ、前記油捕集手段が前記開口部に取り付けられた状態において、前記油捕集手段の下面、前記第１内フード下面および前記外フード下面で略一平面を形成し、前記風路を通過する油煙は、前記整流板と前記第１の内フードとの隙間を前記第１内フード下面に沿って移動して前記油捕集手段へ導かれ、前記油捕集手段、前記第２の内フード、前記排気手段を順に通過して外部に導かれることとしたものであり、これにより所期の目的を達成するものである。
【発明の効果】
【００１６】
本発明によれば、フード下面の面一のところを油煙が一部接触しながら通過することとなるので、油煙を吸い込む吸込側に近い箇所の油を捕集する部品を容易に掃除することができる、という効果を得ることができる。
【図面の簡単な説明】
【００１７】
【図１】本発明の実施の形態１のレンジフードの正面から見た構成図
【図２】同レンジフードの整流板と油捕集手段を下方から見た斜視図
【図３】同レンジフードの油捕集手段を示す図（（ａ）上方からの斜視図、（ｂ）側面図、（ｃ）下方からの斜視図）
【図４】同レンジフードの整流板固定手段の一例を示した図
【図５】従来のレンジフードの構成を示す側面図
【発明を実施するための形態】
【００１８】
本発明の一態様に係るレンジフードは、油煙を衝突させ回収する取り外し可能な整流板と、前記整流板と一定の間隔を設け平行に位置するフード下面と、油煙を外部に導く排気手段と、油を回収する油捕集手段を備え、前記フード下面に凹凸がなく平面である、という構成を有する。これにより、フード下面の面一のところを油煙が一部接触しながら通過することとなるので、油煙を吸い込む吸込側に近い箇所の、油を捕集する部品を容易に掃除することができる、という効果を奏する。
【００１９】
また、油捕集手段は開口部を有した略箱型形状であり、前記油捕集手段はフード下面に設けた排気手段と連通するオリフィスの開口部の上流側に取り付けられ、下面を前記フード下面と平行かつ高さ方向を一致した箇所に設けた、という構成にしてもよい。これにより、油捕集手段とフード下面とが面一となり、そのところを油煙が一部接触しながら通過することとなるので、油捕集手段とフード下面とを一拭きで拭くことができる、という効果を奏する。
【００２０】
また、フード下面と整流板とを一定の間隔を有して保持する整流板固定手段を、前記フード下面にリング状の引っかけを有した第１の整流板固定手段と、前記整流板に前記第１の整流板固定手段と着脱可能に保持した第２の整流板固定手段とで構成した、という構成にしてもよい。これにより、整流板を取り外したときに、フード下面には形状の簡単な第１の整流板固定手段としてリング状の引っ掛けが残り、一方整流板には形状の複雑な第２の整流板固定手段を有した形状で取り外し、フード下面は下方から汚れを拭き取り、一方整流板は洗剤等でじゃぶじゃぶと洗うこととなるので、フード下面と整流板とを容易に清掃することができる、という効果を奏する。
【００２１】
以下、本発明の実施の形態について図面を参照しながら説明する。
【００２２】
（実施の形態１）
図１、図２および図３に示すように、製品本体１はフード部３とケーシング部２とより構成される。
【００２３】
そして、フード部３は、外郭として外フード４と、下面に第一の内フード５と、を備える。
【００２４】
そして、整流板６は、Ｕの字形状の第一の整流板固定手段７を介して、第一の内フード５に固定されている。
【００２５】
そして、第一の内フード５の略中央には開口部２０が設けられており、開口部２０には油捕集手段８が備えられている。
【００２６】
なお、開口部２０は、油捕集手段を取り付けるための開口としての油捕集手段取付穴１４とする。
また、図２に示すように、フード下面５ａにおいて、開口部２０の周縁部が平坦であるように設けられる。
【００２７】
そして、油捕集手段８の上方すなわち天井方向に、第二の内フード１０を備えている。第二の内フード１０は、ケーシング部２に備えられたオリフィス９と連結する。また、第二の内フード１０は、第一の内フード５と連結する。
【００２８】
そして、第一の内フード５は、外フード４の下面に位置する外フード下面４ａと段差なく連結されている。
【００２９】
つまり、外フード下面４ａと第一の内フード５とは一つの連なった平面を形成することとなる。
【００３０】
また、一方、第一の内フード５は絞り等凸凹のない一平面で構成されており、フード部３の下面は平滑な一平面となる。
【００３１】
そして、第一の内フード５は、羽根１２の中心軸を含む略中央に開口部２０を備えている。
【００３２】
そして、開口部２０には、第一の内フード５の開口部２０と一定の隙間（例えば４ｍｍ程度）を保った位置で油捕集手段８が備えられている。油捕集手段８は、図３（ｂ）に示すように略箱型形状である。また、油捕集手段８の下面は略一平面であり、垂直方向に対し、第一の内フード５の下面５ａと同じ高さで取り付けられている。
【００３３】
そして、油捕集手段８は上下に油捕集手段上８ａと油捕集手段下８ｂとを重ねた構成である。
【００３４】
そして、油捕集手段上８ａと油捕集手段下８ｂとには一定の幅例えば５ｍｍ以上の幅を有する油捕集手段開口２１を数か所（この実施の形態１では４、５箇所）有している。また油捕集手段開口２１は、油捕集手段上８ａと油捕集手段下８ｂとを重ねたときに、床に対して垂直方向から見たときに対面は見えないように、つまりは互い違いになるように配置された構造となっている。
【００３５】
そして、油捕集手段８の上部にはオリフィス９が配置されている。また、一方一定の隙間を保った位置で油捕集手段８の周囲に、第二の内フード１０の下端が配置されている。第二の内フード１０の下端は、第一の内フード５と連結し、略四角錐形状である。
【００３６】
そして、第二の内フード１０の上端とケーシング１１の下端とが接続されている。
【００３７】
そして、第二の内フード１０の下端近傍側面には油捕集手段８を係止めする穴１０ａが備えられ、一方、油捕集手段８の側面には１０ａの穴に挿入される突出部８ｃが設けられており、突出部８ｃが第二の内フード１０の穴１０ａに挿入されることにより油捕集手段８の第一の内フード５との位置が決まる。
【００３８】
そして、油捕集手段８の突出部８ｃの対面にはラッチ８ｄが備えられ、第二の内フード１０の穴１０ａの対面にはラッチ８ｄ引っ掛け用穴（図示せず）が備えられ、第一の内フード５の下面と同じ高さに、油捕集手段８の下面が位置するように固定される。
【００３９】
そして、ケーシング部２は下部に吸込み口となるオリフィス９を備え、オリフィス９は風路を形成するケーシング１１に固定され、ケーシング１１内には羽根１２と羽根１２を
駆動する電動機１３とを備える。
【００４０】
そして、ケーシング１１の上部は排気口１５と連結されている。
【００４１】
電動機１３が駆動すると羽根１２が回転し、油煙は、整流板６と第一の内フード５との隙間を第一の内フード５の下面に沿って移動し油捕集手段下８ｂの油捕集手段開口２１に導かれる。
【００４２】
そして、油捕集手段下８ｂの油捕集手段開口２１より導かれた油煙を含んだ空気は、油捕集手段上８ａの内壁面および油捕集手段下８ｂの下壁面に衝突しながら侵入し、油捕集手段上８ａの油捕集手段開口２１より第二の内フード１０の内部に導かれる。
【００４３】
そして、この時に油煙は油捕集手段８内部を壁面に衝突し屈曲しながら進行するため、重量のある油は屈曲しきれず壁面に衝突し付着することとなり、第二の内フード１０に流入する油煙は油成分を含まない空気となる。
【００４４】
そして、第二の内フード１０に導かれた油煙はオリフィス９を介し、ケーシング１１に侵入し排気口１５より屋外に排出されることとなる。
【００４５】
また、外フード４下面にあたる整流板６表面および第一の内フード５下面に油が付着した場合、清掃頻度が高くなるが、本実施の形態１の構成では整流板６は第一の整流板固定手段７より取り外して清掃することができ、また第一の内フード５の下面に凹凸がなく平面であるため、油付着量は少ないとともに、清掃時に一拭きで清掃が可能となる。
【００４６】
また、油捕集手段８と第一の内フード５下面が平行かつ高さ方向の位置が同じであるため、略一平面となり、清掃を行うときに第一の内フード５下面と油捕集手段８は同一の面として一拭きで拭けるため清掃が容易になることとなる。
【００４７】
また図２に示すように製品本体１の操作はフロント部１６にて行う。
【００４８】
そして、フロント部１６には非導電性の凸凹のない平滑な板材１７が用いられ、板材１７を介して裏に設置した静電スイッチ（図示せず）より電動機１３が駆動する。排気として回収しきれなかった一部の油煙あるいは水蒸気がフロント部１６を沿って漏れることとなるが、フロント部１６が平坦であるため油等が付着しづらく、かつ側面が平滑であることにより清掃性およびデザイン性が向上することとなる。
【００４９】
なお、フロント部１６の操作部にガラスを用いることにより、表面が平坦かつ洗剤等の耐環境条件に優れ、美観に優れ、かつ薬品、温度、難燃性に優れたものになることは言うまでもない。
【００５０】
一方、整流板６を製品本体１から取り外すときに、製品本体１の第一の内フード５の下面には、形状の簡単な第一の整流板固定手段７としてリング状の引っ掛けが残り、一方、整流板６には、形状の複雑な第二の整流板固定手段１８例えばラッチ（図示せず）を設けた構造の固定手段を有した形状で取り外すこととなる。
【００５１】
そして、フード下面５ａの清掃は形状がシンプルな第一の整流板固定手段７が残っているのみとなるため清掃が容易である。
【００５２】
また、一方の形状が複雑な第二の整流板固定手段１８は取り外した整流板６に備えられているため、整流板６をシンク内に漬ける等作業性の良い場所で清掃ができ、トータルの
清掃性が向上することとなる。
【００５３】
すなわち、吸込み側に近い箇所の油を捕集する部品すなわち第一の内フード５および整流板６を容易に掃除することができる。
【００５４】
そして通常、製品本体１の下面より油煙あるいは水蒸気が上昇して整流板６にあたり、減速した気流（油煙）は整流板６の下面を沿って縁の第一の内フード５の下面との隙間より吸い込まれ排気口１５に導かれる。
【００５５】
しかし、下方向より上昇し直接第一の内フード５の下面に衝突した油煙の一部は第一の内フード５の下面の縁より外部に漏れることとなる。
【００５６】
そして、整流板６の寸法を大きくすることにより、上昇した油煙あるいは水蒸気のほとんどが整流板６に衝突し減速することにより整流板６と第一の内フード５下面の隙間より吸い込まれることとなるため、発生した油煙あるいは水蒸気の排気する効率を上昇することができる。
【００５７】
また、整流板６と第一の内フード５との隙間を狭くすることにより吸込み風速が速くなり吸込み効率を上げることができる。
【００５８】
また、図４に示すように、整流板６に固定する第一の整流板固定手段７および第二の整流板固定手段１８は磁石１９で構成され、整流板６は第一の内フード５下面に磁石１９で保持される。
【００５９】
そして、第一の整流板固定手段７は第一の内フード５下面と磁石１９で固定されているため、工具等を用いなくても容易に取り外すことが可能となり、磁石１９自体を外すと第一の内フード５の下面５ａに取り付いている部品がなくなることとなり、平坦な状態となり、清掃性がより一層向上することとなる。
【産業上の利用可能性】
【００６０】
本発明にかかるレンジフードは、油煙を吸い込む吸込側に近い箇所の油を捕集する部品を容易に掃除ができることを可能とするものであるので、定期的に清掃を必要として使用される空調機等として有用である。
【符号の説明】
【００６１】
１    製品本体
２    ケーシング部
３    フード部
４    外フード
４ａ  外フード下面
５    第一の内フード
６    整流板
７    第一の整流板固定手段
８    油捕集手段
８ａ  油捕集手段上
８ｂ  油捕集手段下
８ｃ  突出部
８ｄ  ラッチ
９    オリフィス
１０  第二の内フード
１１  ケーシング
１２  羽根
１３  電動機
１４  油捕集手段取付穴
１５  排気口
１６  フロント部
１７  板材
１８  第二の整流板固定手段
１９  磁石
２０  開口部
２１  油捕集手段開口
【図１】
0006446667.tif 000002
【図２】
0006446667.tif 000003
【図３】
0006446667.tif 000004
【図４】
0006446667.tif 000005
【図５】
0006446667.tif 000006